(57)【要約】【課題】消費者が扱い易いように予めリングテープに固定され、カーテンの昇降用コードの挿通部においては切欠部が設けられ、該昇降用コードを引っ掛けて損傷するおそれのある爪部を有しない構成のリングテープ用のリングを開発する。【解決手段】リングテープに縫着される縫着部において本体に切欠部を有せず、昇降用のコードが遊挿される挿通部において本体に切欠部を有し、該切欠部において両端部のうちの少なくとも片方の端部が曲面形状を有し、両端部の間隔が、コードの直径の２分の１以下であるリングテープ用のリングを提供する。【選択図】        図１
0003133463.tif 000002
【実用新案登録請求の範囲】
【請求項１】
縫着用の空間を有し該空間に縫着糸を通してリングテープに縫着される縫着部と、カーテンの昇降用のコードが遊挿される挿通用の空間を有する挿通部からなるリングテープ用のリングにおいて、縫着部においては縫着用の空間を囲繞する本体に切欠部を有せず、挿通部においては挿通用の空間を囲繞する本体に切欠部を有していることを特徴とするリングテープ用のリング。
【請求項２】
挿通部の切欠部において、該切欠部を構成する本体の両端部のうちの少なくとも一方の端部が曲面形状を有することを特徴とする、請求項１に記載のリングテープ用のリング。
【請求項３】
挿通部の切欠部において、該切欠部を構成する本体の両端部の間隔が、カーテンの昇降用のコードの直径の２分の１以下であることを特徴とする請求項１あるいは請求項２に記載のリングテープ用のリング。
【請求項４】
縫着部を下方とし、挿通部を上方とした場合に、本体が、環状部分と、環状部分の内側に渡設された水平部分から成り、カーテンの昇降用のコードの挿通用の空間が環状部分の上半部と水平部分に囲繞された略半円形状の空間であり、該空間を構成する本体の環状部分の上半部と水平部分との間に環状部分の上半部の一部を切欠する形で切欠部が形成されていることを特徴とする請求項１あるいは請求項２あるいは請求項３に記載のリングテープ用のリング。
【請求項５】
縫着部を下方とし、挿通部を上方とした場合に、本体が、環状部分と、環状部分の内側に渡設された水平部分から成り、カーテンの昇降用のコードの挿通用の空間が環状部分の上半部と水平部分に囲繞された略半円形状の空間であり、該空間を構成する本体の環状部分の上半部の上方に切欠部が形成されていることを特徴とする請求項１あるいは請求項２あるいは請求項３に記載のリングテープ用のリング。
【請求項６】
縫着部を下方とし、挿通部を上方とした場合に、本体が、上部環状部分と下部環状部分と、下部環状部分の上端に渡設された水平部分と、水平部分と上部環状部分に渡設された垂直部分から成り、カーテンの昇降用のコードの挿通用の空間が上部環状部分と水平部分と垂直部分に囲繞された略４分の１の円形状の空間を２つ並べた状態で形成され、該空間を構成する本体の水平部分の両端において上部環状部分の夫々の下端と水平部分との間に上部環状部分の夫々の下端を切欠する形で切欠部が形成されていることを特徴とする請求項１あるいは請求項２あるいは請求項３に記載のリングテープ用のリング。
【考案の詳細な説明】
【技術分野】
【０００１】
本考案は、ローマンシェードと称される引き上げ式カーテンのコードを挿通するリングに関するものであり、通常、このリングはリングテープと呼称されるテープ状の布地に固着されて用いられる。本考案のリングテープ用のリングは、さらに詳しくは、下記の構成を有するリングテープ用のリングに関するものである。
＜構成１＞
縫着用の空間を有し該空間に縫着糸を通してリングテープに縫着される縫着部と、カーテンの昇降用のコードが遊挿される挿通用の空間を有する挿通部からなるリングテープ用のリングにおいて、縫着部においては縫着用の空間を囲繞する本体に切欠部を有せず、挿通部においては挿通用の空間を囲繞する本体に切欠部を有していることを特徴とするリングテープ用のリング。
＜構成２＞
挿通部の切欠部において、該切欠部を構成する本体の両端部のうちの少なくとも一方の端部が曲面形状を有することを特徴とする、構成１に記載のリングテープ用のリング。
＜構成３＞
挿通部の切欠部において、該切欠部を構成する本体の両端部の間隔が、カーテンの昇降用のコードの直径の２分の１以下であることを特徴とする構成１あるいは構成２に記載のリングテープ用のリング。
＜構成４＞
縫着部を下方とし、挿通部を上方とした場合に、本体が、環状部分と、環状部分の内側に渡設された水平部分から成り、カーテンの昇降用のコードの挿通用の空間が環状部分の上半部と水平部分に囲繞された略半円形状の空間であり、該空間を構成する本体の環状部分の上半部と水平部分との間に環状部分の上半部の一部を切欠する形で切欠部が形成されていることを特徴とする構成１あるいは構成２あるいは構成３に記載のリングテープ用のリング。
＜構成５＞
縫着部を下方とし、挿通部を上方とした場合に、本体が、環状部分と、環状部分の内側に渡設された水平部分から成り、カーテンの昇降用のコードの挿通用の空間が環状部分の上半部と水平部分に囲繞された略半円形状の空間であり、該空間を構成する本体の環状部分の上半部の上方に切欠部が形成されていることを特徴とする構成１あるいは構成２あるいは構成３に記載のリングテープ用のリング。
＜構成６＞
縫着部を下方とし、挿通部を上方とした場合に、本体が、上部環状部分と下部環状部分と、下部環状部分の上端に渡設された水平部分と、水平部分と上部環状部分に渡設された垂直部分から成り、カーテンの昇降用のコードの挿通用の空間が上部環状部分と水平部分と垂直部分に囲繞された略４分の１の円形状の空間を２つ並べた状態で形成され、該空間を構成する本体の水平部分の両端において上部環状部分の夫々の下端と水平部分との間に上部環状部分の夫々の下端を切欠する形で切欠部が形成されていることを特徴とする構成１あるいは構成２あるいは構成３に記載のリングテープ用のリング。
【背景技術】
【０００２】
ローマンシェードと称される引き上げ式カーテンの１例を図２７ａ、図２７ｂ、図２７ｃに示す。リング付リングテープａは、カーテンｃａの裏面に、縦方向にカーテンｃａ全体で数条縫着されるもので、リング付リングテープａに配設されているリングｒ、ｒ、…にコードｃｏが挿通され、最下端のリングｒにはコードｃｏの下端に係着されたフックｈが係着されている。コードｃｏを引き上げることにより、カーテンｃａは図２７ａに示す状態から図２７ｂに示す状態に引き上げられるものであり、カーテンｃａの下方には複数の襞が形成されて美観上も重厚で雅趣の豊な雰囲気を生ずるものである。
【０００３】
ローマンシェードと称される引き上げ式カーテンの他の例としては、下記特許文献４の図７、図８に示すようなものがあり、これ以外にも様々な形態の襞を発生する方法がある。このように、ローマンシェードと称される引き上げ式カーテンにはさまざまな形態が存するが、これらの形態の全てを生み出す基礎となる構成が、リングテープに複数個のリングを配設したリング付リングテープである。
【０００４】
リングテープに配設されるリングには様々な種類のものがあり、また配設方法も各種各様である。それらのうちから現在比較的良く使用されているリングとして、以下の３種類を掲げておく。                  
符号ｒ１で示されるリング：図２２、図２３参照。
符号ｒ２で示されるリング：図２４、図２５参照。
符号ｒ３で示されるリング：図２６参照。
【０００５】
リングｒ１は、下記特許文献１に記載の「リングＲ」であり、形状は単純な円環状で、素材は透明合成樹脂とされることが多い。リングｒ１は、図２２ａ、図２２ｃに示すように縫着糸ｕ１によってリングテープｔ１に縫着される。リングｒ１の配設方法は図２３に示すとおりで、一定の間隔ｄ１を以ってリングテープｔ１の中央部分に縫着される。なお、間隔ｄ１は、リングテープｔ１が縫着されるカーテンｃａ（図２７ａ参照）のサイズや、襞をいくつ形成したいかというデザイン上の視点などから決定される。ただし、家庭用に限れば、ローマンシェードのカーテンｃａのサイズは略一定であり、また、襞の数も常識的に綺麗に見える数というのは決まってくるので、間隔ｄ１の範囲もごく限られたものとなる。間隔ｄ１は、通常２０ｃｍ前後とされることが多い。なお、図２２、図２３に示すように、円環状の本体ｒａによって形成される空間ｓ１にコードｃｏが遊挿される。
【０００６】
リングｒ２は、下記特許文献２に記載の「リング１１」であり、リングテープｔ２に係止されるフック部ｓ２ａと、コードｃｏが挿通される挿通部ｓ２ｂからなり、素材は透明合成樹脂とされることが多い。リングｒ２は、図２４ａ、図２４ｃに示すようにリングテープｔ２に予め形成されているループｕ２にフック部ｓ２ａを係止させることによりリングテープｔ２に固着される。ループｕ２は、フック部ｓ２ａに構成された切欠部ｖ１からフック部ｓ２ａ内の空間ｓ２ｃに進入させられるが、ループｕ２は細い糸を複数本束ねた変形自在の構成であるので、切欠部ｖ１が狭くても充分進入が可能である。また、リングｒ２全体が合成樹脂製であれば、ループｕ２の進入時には合成樹脂の弾性により切欠部ｖ１が開くので、空間ｓ２ｃへの進入は容易となる。なお、爪部ｎｂは、ループｕ２が空間ｓ２ｃから外れるのを防止するための構成である。また、挿通部ｓ２ｂにも切欠部ｖ２が設けられており、切欠部ｖ２からは空間ｓ２ｄにコードｃｏが進入させられる。コードｃｏも細い糸を複数本束ねた変形自在の構成であるので、切欠部ｖ２が狭くても充分進入が可能である。また、挿通部ｓ２ｂにも爪部ｎｃが存在するが、これは一旦空間ｓ２ｄ内に収容されたコードｃｏが再び切欠部ｖ２を通って外部に退出するのを防止するための構成である。
【０００７】
リングｒ２の配設方法は図２５に示すとおりで、一定の間隔ｄ２を以ってリングテープｔ２の中央部分に配設される。リングｒ２が縫着ではなく係止されている理由は、リングテープｔ２の構成にあり、リングテープｔ２には、図２５に示すように、中央に長さｄａのループｕ２が長手方向に連続的に形成されている。したがって、リングｒ２はリングテープｔ２に構成されたループｕ２、ｕ２、……のいずれに係止しても良く、この点がリングｒ２とリングテープｔ２の大きな特徴となっている。
【０００８】
すなわち、リングｒ２とリングテープｔ２は、カーテンｃａ（図２７ａ参照）を購入した消費者が、リングテープｔ２の任意の位置にリングｒ２を係止させることにより、リングｒ２の配設される間隔ｄ２を自分の好みにより調整できる、すなわち、カーテンｃａの襞の出来具合を自分の好みどおりに形成できるという点を消費者にアピールする製品として開発されたものである。したがって、例えば図２５の状態では、リングｒ２は１０個目のループｕ２毎に係止されている状態であるが、これを９個目毎としたり、あるいは１１個目毎とすることも自由にできる構成である。
【０００９】
また、挿通部ｓ２ｂに切欠部ｖ２が設けられていて、ここからコードｃｏを空間ｓ２ｄに自由に出入させることができるという構成の利点は、以下のとおりである。すなわち、カーテンｃａは汚れてくると、当然洗濯が必要である。この際には、カーテンｃａを窓（図示せず）から取り外し、コードｃｏをリングｒ２から抜かなければならない。この際に、例えば図２２のリングｒ１のような構成であると、挿通されたコードｃｏは、複数のリングｒ１から順番に抜いていかなければならないので手間がかかる。しかるに、リングｒ２のように挿通部ｓ２ｂに切欠部ｖ２が設けられていると、切欠部ｖ２からコードｃｏを引き抜くだけでコードｃｏが外れるので便利である。切欠部ｖ２は、このような利便性を齎すための構成である。
【００１０】
次に、図２６のリングｒ３について説明する。リングｒ３は、下記特許文献３に記載の「リング１」であり、リングテープｔ３に係止されるフック部ｓ３ａと、コードｃｏが挿通される挿通部ｓ３ｂからなり、素材は透明合成樹脂とされることが多い。リングｒ３は、図２６ａ、図２６ｃに示すようにリングテープｔ３に予め形成されているループｕ３にフック部ｓ３ａを係止させることによりリングテープｔ３に固着される。ループｕ３は、フック部ｓ３ａに構成された切欠部ｖ３からフック部ｓ３ａ内の空間ｓ３ｃに進入させられる。爪部ｎｄは、一旦空間ｓ３ｃ内に収容されたループｕ３が、空間ｓ３ｃから外れるのを防止するための構成である。なお、挿通部ｓ３ｂは閉じられた円環状で、空間ｓ３ｄにコードｃｏが挿通される。リングｒ３の配設方法は図示しないが、リングｒ２と同様で、リングテープｔ３に略任意の間隔で配設が可能である。
【特許文献１】登録実用新案第３１０８７８４号公報
【特許文献２】特開２００６‐７５４２９号公報
【特許文献３】登録実用新案第２５７９８５３号公報
【特許文献４】特開２０００‐２０１８０３号公報
【考案の開示】
【考案が解決しようとする課題】
【００１１】
リングｒ１においては、リングｒ１はリングテープｔ１に縫着されているため、リングテープｔ１からリングｒ１が脱落する危険性は皆無である。しかるに、リングｒ２、リングｒ３においては、フック部ｓ２ａ、ｓ３ａにより、夫々ループｕ２、ｕ３に係止されているだけなので、リングｒ２、ｒ３の脱落が皆無とはいえない。
【００１２】
またさらに、リングｒ２、リングｒ３においては、叙上のように消費者が配設間隔を略任意に設定できるという点を大きな特徴として製品化されたものであったが、実際には、期待したほど販売量が伸びず、消費者には余り好まれない構成であることが徐々に明らかとなってきた。
【００１３】
すなわち、リングｒ２は、販売状態ではリングテープｔ２に配設されていない状態で、単独で販売される。あるいは、カーテンｃａとセットの場合でも、リングテープｔ２に配設されていない状態でセットとして販売される。購入した消費者は、自分でリングテープｔ２にリングｒ２を配設していくのであるが、この配設作業が意外に面倒である。
【００１４】
すなわち、カーテンｃａの全体の長さを造りたい襞の数で除して間隔ｄ２を決定するのであるが、実際に間隔ｄ２を形成するためには、ループｕ２の何個目毎にリングｒ２を係止するかを決定しなければならない。この数字が決まれば、ループｕ２の個数を数えながらリングｒ２を配設していくのであるが、この作業が大変面倒であり、１ヶ所でも間違えば、形成される襞が均等にならず、外観にその影響が現れて本来のローマンシェードのカーテンの美しい襞を得ることができない。
【００１５】
しかしながら、いくら慎重に作業を行っても、カーテンｃａ全体でのリングｒ２の個数が多いので、間隔ｄ２に誤りが生じることはしばしばあり、しかもその誤りは作業中にはなかなか発見されず、作業が全て終了して、カーテンｃａを窓（図示せず）に掛けてみて、はじめて襞の形成のされかたがおかしいというところから、間隔ｄ２に誤りが生じていることが明らかとなる。しかしながら、襞の外観からだけでは間隔ｄ２のいずれの部分に誤りが生じているのかを特定することは困難であり、結局すべての間隔ｄ２にわたってループｕ２の個数を再確認しなければならない。
【００１６】
このように、リングｒ２とリングテープｔ２においては、消費者の側に大きな負担感を生じ、これがために消費者の購入意欲の減退を招いていることが明らかとなってきた。この事情は、リングｒ３とリングテープｔ３の場合にも全く同様である。したがって、現今では、リングｒ２、あるいはリングｒ３は、予め一定間隔の場所にのみループを形成したリングテープ（図示せず）にリングｒ２、あるいはリングｒ３を既に係止させた状態で販売されることが多くなった。
【００１７】
すなわち、リングｒ２、ｒ３において大きな特徴である消費者の側が略任意に襞の間隔を創作できるという特性を全く生かすことのない構成で実際には販売されており、このような構成においては、リングｒ２、ｒ３がリングテープｔ２、ｔ３に係止されるという構成は、何等その本来の効果を齎していないどころか、リングｒ２、ｒ３の脱落の危険が皆無とはいえないという点において、リングｒ１とリングテープｔ１の構成（縫着）に比べるとより劣った構成となっているといわざるを得ない状況にあるのが現状である。
【００１８】
しかしながら、叙上のように、リングｒ１にもまた、コードｃｏを外すときに手間がかかるという短所が存在する。この点はリングｒ２の構成の方が優れているので、現今では、リングｒ２を一定間隔でループを形成したリングテープ（図示せず）に予め係止させた状態にて販売している形態が多く見られる。なお、コードｃｏを外すときに手間がかかるという短所は、リングｒ３にも存在する。
【００１９】
次に、リングｒ２とリングｒ３に共通に存在する問題点として、切欠部において鋭角をなす爪部が含まれているという点が挙げられる。すなわち、リングｒ２にはフック部ｓ２ａをループｕ２に係止させやすくするための構成である爪部ｎａ、ループｕ２がフック部ｓ２ａの空間ｓ２ｃから外れるのを防ぐための構成である爪部ｎｂ、コードｃｏが挿通部ｓ２ｂの空間ｓ２ｄから外れるのを防ぐための構成である爪部ｎｃが設けられ、リングｒ３にはループｕ３がフック部ｓ３ａの空間ｓ３ｃから外れるのを防ぐための構成である爪部ｎｄが設けられている。
【００２０】
これらの爪部ｎａ、ｎｂ、ｎｃ、ｎｄはいずれも鋭角状をなすため、ループｕ２、ｕ３、あるいはコードｃｏを出し入れする際に、ループｕ２、ｕ３を構成する糸やコードｃｏを構成する糸を引っ掛けて、ループｕ２、ｕ３、あるいはコードｃｏを損傷する危険がある。すなわち、ループｕ２、ｕ３もコードｃｏも複数本の細い糸を撚糸して構成されたものであるので、鋭角状の爪部ｎａ、ｎｂ、ｎｃ、ｎｄがループｕ２、ｕ３、あるいはコードｃｏに引っ掛かると撚糸された糸と糸との間に入りこんでループｕ２、ｕ３、あるいはコードｃｏを損傷する可能性がある。
【００２１】
叙上より、本考案の解決すべき課題を、下記のように設定した。
＜課題１＞
リングをリングテープに配設するにあたっては、リングとリングテープを購入者が着脱自在とする構成は積極的な効果を生み出しえないことが明らかとなった。したがって、このような構成は避け、予めリングをリングテープに固定する構成のリングとする。
＜課題２＞
コードの挿通部においては、切欠部を有しないとコードの着脱に手間がかかるので、挿通部には切欠部を設けた構成のリングとする。
＜課題３＞
切欠部に、ループやコードが外れるのを防止するための爪部を有すると、爪部がループやコードに引っ掛かってループやコードを損傷する可能性がある。したがって、切欠部においてループやコードを損傷する心配のない構成のリングとする。
【課題を解決するための手段】
【００２２】
本考案は、上記課題を解決するためになされたものであって、以下の解決手段を提供するものである。
＜解決手段１＞
縫着用の空間を有し該空間に縫着糸を通してリングテープに縫着される縫着部と、カーテンの昇降用のコードが遊挿される挿通用の空間を有する挿通部からなるリングテープ用のリングにおいて、縫着部においては縫着用の空間を囲繞する本体に切欠部を有せず、挿通部においては挿通用の空間を囲繞する本体に切欠部を有していることを特徴とするリングテープ用のリング。
＜解決手段２＞
挿通部の切欠部において、該切欠部を構成する本体の両端部のうちの少なくとも一方の端部が曲面形状を有することを特徴とする、解決手段１に記載のリングテープ用のリング。
＜解決手段３＞
挿通部の切欠部において、該切欠部を構成する本体の両端部の間隔が、カーテンの昇降用のコードの直径の２分の１以下であることを特徴とする解決手段１あるいは解決手段２に記載のリングテープ用のリング。
＜解決手段４＞
縫着部を下方とし、挿通部を上方とした場合に、本体が、環状部分と、環状部分の内側に渡設された水平部分から成り、カーテンの昇降用のコードの挿通用の空間が環状部分の上半部と水平部分に囲繞された略半円形状の空間であり、該空間を構成する本体の環状部分の上半部と水平部分との間に環状部分の上半部の一部を切欠する形で切欠部が形成されていることを特徴とする解決手段１あるいは解決手段２あるいは解決手段３に記載のリングテープ用のリング。
＜解決手段５＞
縫着部を下方とし、挿通部を上方とした場合に、本体が、環状部分と、環状部分の内側に渡設された水平部分から成り、カーテンの昇降用のコードの挿通用の空間が環状部分の上半部と水平部分に囲繞された略半円形状の空間であり、該空間を構成する本体の環状部分の上半部の上方に切欠部が形成されていることを特徴とする解決手段１あるいは解決手段２あるいは解決手段３に記載のリングテープ用のリング。
＜解決手段６＞
縫着部を下方とし、挿通部を上方とした場合に、本体が、上部環状部分と下部環状部分と、下部環状部分の上端に渡設された水平部分と、水平部分と上部環状部分に渡設された垂直部分から成り、カーテンの昇降用のコードの挿通用の空間が上部環状部分と水平部分と垂直部分に囲繞された略４分の１の円形状の空間を２つ並べた状態で形成され、該空間を構成する本体の水平部分の両端において上部環状部分の夫々の下端と水平部分との間に上部環状部分の夫々の下端を切欠する形で切欠部が形成されていることを特徴とする解決手段１あるいは解決手段２あるいは解決手段３に記載のリングテープ用のリング。
【考案の効果】
【００２３】
本考案の、解決手段１の考案によれば、縫着用の空間を有し該空間に縫着糸を通してリングテープに縫着される縫着部と、カーテンの昇降用のコードが遊挿される挿通用の空間を有する挿通部からなるリングテープ用のリングにおいて、縫着部においては縫着用の空間を囲繞する本体に切欠部を有していないので、該リングは縫着部においてリングテープに予め縫着されることになり、上記課題１を満足する。すなわち、予めリングがリングテープに固定された状態で購入者の手に渡ることにより、購入者は面倒で間違う可能性の高いリング取り付け作業を行わずにそのまますぐにカーテンを用いることができる。また、縫着糸が切れない限り、使用中にリングがリングテープから脱落する危険も皆無である。
【００２４】
また、挿通部においては挿通用の空間を囲繞する本体に切欠部を有しているので、上記課題２を満足する。すなわち、該切欠部から挿通用の空間にカーテン昇降用のコードを進入させ、あるいは挿通用の空間からコードを退出させることができ、これにより、コードの着脱が容易となった。例えばカーテン全体の洗濯の際にも簡単にコードのリングへの着脱を行えるようになった。
【００２５】
次に、本考案の解決手段２の考案によれば、解決手段１の考案にて、挿通部の切欠部において、該切欠部を構成する本体の両端部のうちの少なくとも一方の端部が曲面形状を有するので、挿通用の空間にコードを進入させ、あるいは挿通用の空間からコードを退出させる際に、コードが引っ掛かって損傷されるという危険がなく、上記課題３を満足する。本体の両端部の双方を曲面形状とすれば、さらにコードを損傷させる危険は減少する。
【００２６】
さらに、本考案の解決手段３によれば、本考案の解決手段１あるいは解決手段２の考案にて、挿通部の切欠部において、該切欠部を構成する本体の両端部の間隔を、カーテンの昇降用のコードの直径の２分の１以下としているので、通常の使用状態において、コードがリングから外れるという危険は生じない。すなわち、通常の使用状態においては昇降用のコードに働く力は垂直方向であるので、挿通部に遊挿された状態のコードが切欠部に圧接されたりすることはなく、本体の切欠部の両端部の間隔を、カーテンの昇降用のコードの直径の２分の１以下としておけば、コードがリングから外れるということは起こりえない。
【００２７】
これに対し、コードをリングから外す必要があるときには、コードを切欠部に当接させて外側に引き抜くことにより、簡単にコードを外すことができる。また、コードを挿通部の空間に進入させる（取り付け）場合には、コードを外側から切欠部に当接させて引っ張り入れることにより簡単にコードを挿通部に遊挿状態にすることができる。
【００２８】
上記コードの取り外しあるいは取り付けの場合には、極端な場合、切欠部の両端部が当接状態にあっても、両端部共に曲面形状であれば、コードの取り付け、取り外しは容易である。というのは、リングを合成樹脂製とすることにより、通過するコードによって切欠部の両端部が押し広げられるからであり、また、コード自体も複数本の細い糸を撚糸したものであるため、自在に変形しながら切欠部を通過することができるためである。
【００２９】
本考案の解決手段４、５、６の考案においては、解決手段１〜３の考案において記載された特徴を具体的に実現するためのリングの構成が記述されているので、解決手段１〜３の考案において記載された特徴を有するリングを、実際に困難なく製造することができるものである。
【考案を実施するための最良の形態】
【００３０】
本考案を実施するための最良の形態を、以下に図面を参照しながら詳細に説明する。
【実施例１】
【００３１】
図１から図６に、実施例１のリングテープ用のリングＲ１を示す。図１はリングＲ１の正面図、図２はリングＲ１の平面図、図３はリングＲ１の左側面図、図４はリングＲ１の外観斜視図である。また、図５はリングＲ１をリングテープＴ１に縫着した状態を示し、図６は複数のリングＲ１をリングテープＴ１に配設した状態を示すものである。
【００３２】
リングＲ１は縫着用の空間Ｓ１ａを有し該空間Ｓ１ａに縫着糸１１を通してリングテープＴ１に縫着される縫着部１と、カーテンｃａ（図２７ａ参照）の昇降用のコードｃｏが遊挿される挿通用の空間Ｓ１ｂを有する挿通部２から構成される。なお、以下においては、縫着部１を下方とし、挿通部２を上方として説明する。縫着部１においては縫着用の空間Ｓ１ａを囲繞する本体Ｂ１に切欠部を有せず、挿通部２においては挿通用の空間Ｓ１ｂを囲繞する本体Ｂ１に切欠部３を有している。
【００３３】
リングＲ１の切欠部３において、該切欠部３を構成する本体Ｂ１の両方の端部３１、３２が曲面形状を有する。また、切欠部３において、該切欠部３を構成する本体Ｂ１の両方の端部３１、３２の間隔δ１は、カーテンの昇降用コードｃｏの直径φの約４分の１である。さらに、本体Ｂ１が、環状部分Ｂ１ａと、環状部分Ｂ１ａの内側に渡設された水平部分Ｂ１ｂから成り、カーテンｃａ（図２７ａ参照）の昇降用のコードｃｏの挿通用の空間Ｓ１ｂが環状部分Ｂ１ａの上半部と水平部分Ｂ１ｂに囲繞された略半円形状の空間であり、該空間Ｓ１ｂを構成する本体Ｂ１の環状部分Ｂ１ａの上半部と水平部分Ｂ１ｂとの間に環状部分Ｂ１ａの上半部の左端を切欠する形で切欠部３が形成されている。
【００３４】
リングＲ１は正面視が略円形状で、その本体Ｂ１は透明合成樹脂製であり、上記のように環状部分Ｂ１ａと、環状部分Ｂ１ａの中心からやや下方に渡設された水平部分Ｂ１ｂからなり、環状部分Ｂ１ａと水平部分Ｂ１ｂは一体として本体Ｂ１を構成している。縫着部１の縫着用の空間Ｓ１ａは本体Ｂ１の環状部分Ｂ１ａの下半部と本体Ｂ１の水平部分Ｂ１ｂに囲繞されて形成され、挿通部２の挿通用の空間Ｓ１ｂは本体Ｂ１の環状部分Ｂ１ａの上半部と本体Ｂ１の水平部分Ｂ１ｂに囲繞されて形成されている。
【００３５】
リングＲ１は、図５に見るように、縫着部１の空間Ｓ１ａに縫着糸１１を挿通してリングテープＴ１に縫着されている。そして、図６に見るように、間隔Ｄ１を以ってリングテープＴ１に配設されている。リングＲ１の構成については以上のとおりであるが、次に、リングＲ１の作用、とくに、挿通部２の空間Ｓ１ｂに遊挿されているコードｃｏを取り外す際の作用について、詳細に説明する。
【００３６】
コードｃｏが縫着部１の空間Ｓ１ｂに遊挿されている際には、コードｃｏは図７ａの２点鎖線で示す状態にあるが、このコードｃｏをリングＲ１から取り外す、すなわち切欠部３を通過させることにより空間Ｓ１ｂから退出させる際には、図７ａに示すように、コードｃｏを切欠部３の内側に当接させてコードｃｏを外側、すなわちＸ方向に強く引く。すると、複数本の細い糸が撚糸されたコードｃｏは変形するとともに、端部３１を押し上げて切欠部３を拡大させる。
【００３７】
さらにコードｃｏをＸ方向に強く引くと、図７ｂに示すようにコードｃｏはますます扁平に変形するとともに端部３１はさらに押し上げられて切欠部３はさらに拡大され、コードｃｏは拡大された切欠部３を通過して縫着部１の空間Ｓ１ｂの外側に退出させられる（図７ｃ参照）。コードｃｏを空間Ｓ１ｂに進入させるときは、この逆のプロセスとなる。
【実施例２】
【００３８】
図８から図１２に、実施例２のリングテープ用リングＲ２を示す。図８はリングＲ２の正面図、図９はリングＲ２の平面図、図１０はリングＲ２の左側面図、図１１はリングＲ２の外観斜視図である。また、図１２はリングＲ２をリングテープＴ２に縫着した状態を示すものである。
【００３９】
リングＲ２は縫着用の空間Ｓ２ａを有し該空間Ｓ２ａに縫着糸４１を通してリングテープＴ２に縫着される縫着部４と、カーテンｃａの昇降用のコードｃｏが遊挿される挿通用の空間Ｓ２ｂを有する挿通部５から構成される。なお、以下においては、縫着部４を下方とし、挿通部５を上方として説明する。縫着部４においては縫着用の空間Ｓ２ａを囲繞する本体Ｂ２に切欠部を有せず、挿通部５においては挿通用の空間Ｓ２ｂを囲繞する本体Ｂ２の環状部分Ｂ２ａに切欠部６を有している。
【００４０】
リングＲ２の切欠部６において、該切欠部６を構成する本体Ｂ２の両方の端部６１、６２が曲面形状を有する。また、切欠部６において、該切欠部６を構成する本体Ｂ２の両端部６１、６２の間隔δ２は、カーテンの昇降用コードｃｏの直径φの約４分の１である。さらに、本体Ｂ２は、環状部分Ｂ２ａと、環状部分Ｂ２ａの内側に渡設された水平部分Ｂ２ｂから成り、カーテンｃａ（図２７ａ参照）の昇降用のコードｃｏの挿通用の空間Ｓ２ｂが環状部分Ｂ２ａの上半部と水平部分Ｂ２ｂに囲繞された略半円形状の空間であり、該空間Ｓ２ｂを構成する本体Ｂ２の環状部分Ｂ２ａの上半部の頂部に上記切欠部６が形成されている。
【００４１】
リングＲ２は正面視が略円形状で、その本体Ｂ２は透明合成樹脂製であり、上記のように環状部分Ｂ２ａと、環状部分Ｂ２ａの中心からやや下方に渡設された水平部分Ｂ２ｂからなり、環状部分Ｂ２ａと水平部分Ｂ２ｂは一体として本体Ｂ２を構成している。縫着部４の縫着用の空間Ｓ２ａは本体Ｂ２の環状部分Ｂ２ａの下半部と本体Ｂ２の水平部分Ｂ２ｂに囲繞されて形成され、挿通部５の挿通用の空間Ｓ２ｂは本体Ｂ２の環状部分Ｂ２ａの上半部と本体Ｂ２の水平部分Ｂ２ｂに囲繞されて形成されている。
【００４２】
リングＲ２は、図１２に見るように、縫着部４の空間Ｓ２ａに縫着糸４１を挿通してリングテープＴ２に縫着されている。リングＲ２の配設状態は図示しないが、概ね実施例１のリングＲ１の配設状態と同様である。また、リングＲ２の作用、とくに、挿通部５の空間Ｓ２ｂに遊挿されているコードｃｏを退出、あるいは進入させる際の作用についても実施例１のリングＲ１の場合と略同様であるが、実施例２のリングＲ２の場合には、切欠部６がリングＲ２の頂部に形成されているので、コードｃｏの進入、退出の際の操作性は実施例１のリングＲ１の場合より若干向上する。
【実施例３】
【００４３】
図１３から図１７に、実施例３のリングテープ用リングＲ３を示す。図１３はリングＲ３の正面図、図１４はリングＲ３の平面図、図１５はリングＲ３の左側面図、図１６はリングＲ３の外観斜視図である。また、図１７はリングＲ３をリングテープＴ３に縫着した状態を示すものである。
【００４４】
リングＲ３は縫着用の空間Ｓ３ａを有し該空間Ｓ３ａに縫着糸７１を通してリングテープＴ３に縫着される縫着部７と、カーテンｃａ（図２７ａ参照）の昇降用のコードｃｏが遊挿される挿通用の空間Ｓ３ｂ、Ｓ３ｃを有する挿通部８から構成される。なお、以下においては、縫着部７を下方とし、挿通部８を上方として説明する。縫着部７においては縫着用の空間Ｓ３ａを囲繞する本体Ｂ３に切欠部を有せず、挿通部８においては挿通用の空間Ｓ３ｂ、Ｓ３ｃを囲繞する本体Ｂ３の水平部分Ｂ３ｃの両端において、上部環状部分Ｂ３ｂの夫々の下端と水平部分Ｂ３ｃとの間に夫々切欠部９１、９２を有している。
【００４５】
リングＲ３の切欠部９１において、該切欠部９１を構成する本体Ｂ３の両方の端部９１ａ、９１ｂが曲面形状を有する。また、切欠部９２において、該切欠部９２を構成する本体Ｂ３の両方の端部９２ａ、９２ｂが曲面形状を有する。さらに、切欠部９１において、該切欠部９１を構成する本体Ｂ３の両方の端部９１ａ、９１ｂの間隔δ３あるいは切欠部９２において、該切欠部９２を構成する本体Ｂ３の両方の端部９２ａ、９２ｂの間隔δ３は、カーテンの昇降用コードｃｏの直径φの約４分の１である。また、本体Ｂ３が、上部環状部分Ｂ３ｂと下部環状部分Ｂ３ａと、下部環状部分Ｂ３ａの上端に渡設された水平部分Ｂ３ｃと、水平部分Ｂ３ｃと上部環状部分Ｂ３ｂに渡設された垂直部分Ｂ３ｄから成り、カーテンｃａ（図２７ａ参照）の昇降用のコードｃｏの挿通用の空間Ｓ３ｂ、Ｓ３ｃが上部環状部分Ｂ３ｂと水平部分Ｂ３ｃと垂直部分Ｂ３ｄに囲繞された略４分の１の円形状の空間を２つ並べた状態で形成され、該空間Ｓ３ｂ、Ｓ３ｃを構成する本体Ｂ３の水平部分Ｂ３ｃの両端において上部環状部分Ｂ３ｂの夫々の下端と水平部分Ｂ３ｃとの間に上部環状部分Ｂ３ｂの夫々の下端を切欠する形で切欠部９１、９２が形成されている。
【００４６】
リングＲ３は正面視が略円形状で、その本体Ｂ３は透明合成樹脂製であり、上記のように下部環状部分Ｂ３ａ、上部環状部分Ｂ３ｂ、下部環状部分Ｂ３ａの上部に渡設された水平部分Ｂ３ｃ、水平部分Ｂ３ｃの中央部から上部環状部分Ｂ３ｂの中央部にかけて渡設された垂直部分Ｂ３ｄからなり、下部環状部分Ｂ３ａ、上部環状部分Ｂ３ｂ、水平部分Ｂ３ｃ、垂直部分Ｂ３ｄは一体として本体Ｂ３を構成している。
【００４７】
縫着部７の縫着用の空間Ｓ３ａは本体Ｂ３の下部環状部分Ｂ３ａと本体Ｂ３の水平部分Ｂ３ｃに囲繞されて形成され、挿通部８の挿通用の空間Ｓ３ｂは本体Ｂ３の上部環状部分Ｂ３ｂの左半分と水平部分Ｂ３ｃの左半分と垂直部分Ｂ３ｄに囲繞されて形成され、挿通用の空間Ｓ３ｃは本体Ｂ３の上部環状部分Ｂ３ｂの右半分と水平部分Ｂ３ｃの右半分と垂直部分Ｂ３ｄに囲繞されて形成されている。
【００４８】
リングＲ３は、図１７に見るように、縫着部７の空間Ｓ３ａに縫着糸７１を挿通してリングテープＴ３に縫着されている。リングＲ３の配設状態は図示しないが、概ね実施例１のリングＲ１の配設状態と同様である。また、リングＲ３の作用、とくに、挿通部８の空間Ｓ３ｂあるいは空間Ｓ３ｃに遊挿されているコードｃｏ退出あるいは進入させる際の作用についても実施例１のリングＲ１の場合と略同様である。なお、実施例３のリングＲ３の場合には、挿通用の２ヶ所の空間Ｓ３ｂ、Ｓ３ｃのどちらか一方にコードｃｏが挿通される。どちらに通すかは、使用者の任意の選択による。
【実施例４】
【００４９】
図１８から図２１に、実施例４のリングテープ用リングＲ４を示す。図１８はリングＲ４の正面図、図１９はリングＲ４の平面図、図２０はリングＲ４の左側面図、図２１はリングＲ４の外観斜視図である。
【００５０】
リングＲ４は縫着用の空間Ｓ４ａを有し該空間Ｓ４ａに縫着糸１１１を通してリングテープＴ４に縫着される縫着部１０１と、カーテンｃａ（図２７ａ参照）の昇降用のコードｃｏが遊挿される挿通用の空間Ｓ４ｂを有する挿通部１０２から構成される。なお、以下においては、縫着部１０１を下方とし、挿通部１０２を上方として説明する。縫着部１０１においては縫着用の空間Ｓ４ａを囲繞する本体Ｂ４に切欠部を有せず、挿通部１０２においては挿通用の空間Ｓ４ｂを囲繞する本体Ｂ４の環状部分Ｂ４ａの左端と水平部分Ｂ４ｂの左端との間に切欠部１０３を有している。
【００５１】
リングＲ４の切欠部１０３において、該切欠部１０３を構成する本体Ｂ４の両方の端部１０３ａ、１０３ｂのうち、端部１０３ａが曲面形状を有する。また、切欠部１０３において、該切欠部１０３を構成する本体Ｂ４の両方の端部１０３ａ、１０３ｂの間隔δ４は、カーテンｃａの昇降用コードｃｏの直径φの約７分の１である。さらに、本体Ｂ４が、環状部分Ｂ４ａと、環状部分Ｂ４ａの内側に渡設された水平部分Ｂ４ｂから成り、カーテンｃａの昇降用のコードｃｏの挿通用の空間Ｓ４ｂが環状部分Ｂ４ａの上半部と水平部分Ｂ４ｂに囲繞された略半円形状の空間であり、該空間Ｓ４ｂを構成する本体Ｂ４の環状部分Ｂ４ａの上半部と水平部分Ｂ４ｂとの間に環状部分Ｂ４ａの上半部の左端を切欠する形で切欠部１０３が形成されている。
【００５２】
リングＲ４は正面視が小判形状で、その本体Ｂ４は透明合成樹脂製であり、上記のように環状部分Ｂ４ａと、環状部分Ｂ４ａの中心からやや下方に渡設された水平部分Ｂ４ｂからなり、環状部分Ｂ４ａと水平部分Ｂ４ｂは一体として本体Ｂ４を構成している。縫着部１０１の縫着用の空間Ｓ４ａは本体Ｂ４の環状部分Ｂ４ａの下半部と本体Ｂ４の水平部分Ｂ４ｂに囲繞されて形成され、挿通部１０２の挿通用の空間Ｓ４ｂは本体Ｂ４の環状部分Ｂ４ａの上半部と本体Ｂ４の水平部分Ｂ４ｂに囲繞されて形成されている。
【００５３】
リングＲ４がリングテープＴ４に縫着された状態の外観斜視図は略すが、実施例１〜３のリングＲ１〜Ｒ３と略同様である。また、リングＲ４がリングテープＴ４に配設された状態も図示しないが、実施例１〜３のリングＲ１〜Ｒ３と略同様である。また、リングＲ４の作用も、実施例１〜３のリングＲ１〜Ｒ３と略同様である。なお、リングＲ４は、実施例１〜３のリングＲ１〜Ｒ３に比較すると、端部１０３ａが右方に屈曲されて空間Ｓ４ｂの奥まで入っており、さらに、切欠部１０３の間隔δ４が実施例１〜３のリングＲ１〜Ｒ３の間隔δ１〜δ３に比較して狭いので、空間Ｓ４ｂ内でのコードｃｏの安定性は実施例１〜３のリングＲ１〜Ｒ３より向上する。
【産業上の利用可能性】
【００５４】
本考案は、従来の技術に見られない、新たな発想のもとになされたものであって、ローマンシェードと称される引き上げ式カーテンのリングテープにおいて、大きな利便性を与えるものであり、この分野における幅広い需要を喚起できるものである。
【図面の簡単な説明】
【００５５】
【図１】本考案の実施例１のリングテープ用のリングの正面図である。
【図２】本考案の実施例１のリングテープ用のリングの平面図である。
【図３】本考案の実施例１のリングテープ用のリングの左側面図である。
【図４】本考案の実施例１のリングテープ用のリングの外観斜視図である。
【図５】本考案の実施例１のリングテープ用のリングをリングテープに縫着した状態の斜めから見た外観を説明する説明図である。
【図６】（ａ）本考案の実施例１のリングテープ用のリングをリングテープに配設した状態を説明する説明図である。（ｂ）本考案の実施例１のリングテープ用のリングをリングテープに配設した状態の斜めから見た外観を説明する説明図である。
【図７】（ａ）本考案の実施例１のリングテープ用のリングの作用を説明する説明図である。    （ｂ）本考案の実施例１のリングテープ用のリングの作用を説明する説明図である。    （ｃ）本考案の実施例１のリングテープ用のリングの作用を説明する説明図である。
【図８】本考案の実施例２のリングテープ用のリングの正面図である。
【図９】本考案の実施例２のリングテープ用のリングの平面図である。
【図１０】本考案の実施例２のリングテープ用のリングの左側面図である。
【図１１】本考案の実施例２のリングテープ用のリングの外観斜視図である。
【図１２】本考案の実施例２のリングテープ用のリングをリングテープに縫着した状態の斜めから見た外観を説明する説明図である。
【図１３】本考案の実施例３のリングテープ用のリングの正面図である。
【図１４】本考案の実施例３のリングテープ用のリングの平面図である。
【図１５】本考案の実施例３のリングテープ用のリングの左側面図である。
【図１６】本考案の実施例３のリングテープ用のリングの外観斜視図である。
【図１７】本考案の実施例３のリングテープ用のリングをリングテープに縫着した状態の斜めから見た外観を説明する説明図である。
【図１８】本考案の実施例４のリングテープ用のリングの正面図である。
【図１９】本考案の実施例４のリングテープ用のリングの平面図である。
【図２０】本考案の実施例４のリングテープ用のリングの左側面図である。
【図２１】本考案の実施例４のリングテープ用のリングの外観斜視図である。
【図２２】（ａ）従来のリングテープ用のリングの一例の正面図である。      （ｂ）従来のリングテープ用のリングの一例の平面図である。      （ｃ）従来のリングテープ用のリングの一例の左側面図である。
【図２３】（ａ）従来のリングテープ用のリングの一例のリングをリングテープに配設した状態を説明する説明図である。（ｂ）従来のリングテープ用のリングの一例のリングをリングテープに配設した状態の斜めから見た外観を説明する説明図である。
【図２４】（ａ）従来のリングテープ用のリングの他の例の正面図である。      （ｂ）従来のリングテープ用のリングの他の例の平面図である。      （ｃ）従来のリングテープ用のリングの他の例の左側面図である。
【図２５】（ａ）従来のリングテープ用のリングの他の例のリングをリングテープに配設した状態を説明する説明図である。（ｂ）従来のリングテープ用のリングの他の例のリングをリングテープに配設した状態の斜めから見た外観を説明する説明図である。
【図２６】（ａ）従来のリングテープ用のリングのさらに他の例の正面図である。      （ｂ）従来のリングテープ用のリングのさらに他の例の平面図である。      （ｃ）従来のリングテープ用のリングのさらに他の例の左側面図である。
【図２７】（ａ）従来のリングテープ用のリングの１例の作用を説明する説明図である。      （ｂ）従来のリングテープ用のリングの１例の作用を説明する説明図である。      （ｃ）従来のリングテープ用のリングの１例の作用を説明する説明図である。
【符号の説明】
【００５６】
１        縫着部
１０１    縫着部
１０２    挿通部
１０３    切欠部
１０３ａ  端部
１０３ｂ  端部
１１      縫着糸
１１１    縫着糸
２        挿通部
３        切欠部
３１      端部
３２      端部
４        縫着部
４１      縫着糸
５        挿通部
６        切欠部
６１      端部
６２      端部
７        縫着部
７１      縫着糸
８        挿通部
９１      切欠部
９１ａ    端部
９１ｂ    端部
９２      切欠部
９２ａ    端部
９２ｂ    端部
Ｂ１      本体
Ｂ１ａ    環状部分
Ｂ１ｂ    水平部分
Ｂ２      本体
Ｂ２ａ    環状部分
Ｂ２ｂ    水平部分
Ｂ３      本体
Ｂ３ａ    下部環状部分
Ｂ３ｂ    上部環状部分
Ｂ３ｃ    水平部分
Ｂ３ｄ    垂直部分
Ｂ４      本体
Ｂ４ａ    環状部分
Ｂ４ｂ    水平部分
Ｄ１      間隔
Ｒ１      リング
Ｒ２      リング
Ｒ３      リング
Ｒ４      リング
Ｓ１ａ    空間
Ｓ１ｂ    空間
Ｓ２ａ    空間
Ｓ２ｂ    空間
Ｓ３ａ    空間
Ｓ３ｂ    空間
Ｓ３ｃ    空間
Ｓ４ａ    空間
Ｓ４ｂ    空間
Ｔ１      リングテープ
Ｔ２      リングテープ
Ｔ３      リングテープ
Ｔ４      リングテープ
Ｘ        方向
ａ        リング付リングテープ
ｃａ      カーテン
ｃｏ      コード
ｄ１      間隔
ｄ２      間隔
ｄａ      長さ
ｈ        フック
ｎａ      爪部
ｎｂ      爪部
ｎｃ      爪部
ｎｄ      爪部
ｒ        リング
ｒ１      リング
ｒ２      リング
ｒ３      リング
ｒａ      本体
ｓ１      空間
ｓ２ａ    フック部
ｓ２ｂ    挿通部
ｓ２ｃ    空間
ｓ２ｄ    空間
ｓ３ａ    フック部
ｓ３ｂ    挿通部
ｓ３ｃ    空間
ｔ１      リングテープ
ｔ２      リングテープ
ｔ３      リングテープ
ｕ１      縫着糸
ｕ２      ループ
ｕ３      ループ
ｖ１      切欠部
ｖ２      切欠部
ｖ３      切欠部
δ１      間隔
δ２      間隔
δ３      間隔
δ４      間隔
φ        直径
【図１】
0003133463.tif 000003
【図２】
0003133463.tif 000004
【図３】
0003133463.tif 000005
【図４】
0003133463.tif 000006
【図５】
0003133463.tif 000007
【図６】
0003133463.tif 000008
【図７】
0003133463.tif 000009
【図８】
0003133463.tif 000010
【図９】
0003133463.tif 000011
【図１０】
0003133463.tif 000012
【図１１】
0003133463.tif 000013
【図１２】
0003133463.tif 000014
【図１３】
0003133463.tif 000015
【図１４】
0003133463.tif 000016
【図１５】
0003133463.tif 000017
【図１６】
0003133463.tif 000018
【図１７】
0003133463.tif 000019
【図１８】
0003133463.tif 000020
【図１９】
0003133463.tif 000021
【図２０】
0003133463.tif 000022
【図２１】
0003133463.tif 000023
【図２２】
0003133463.tif 000024
【図２３】
0003133463.tif 000025
【図２４】
0003133463.tif 000026
【図２５】
0003133463.tif 000027
【図２６】
0003133463.tif 000028
【図２７】
0003133463.tif 000029